(57)【要約】      （修正有）【課題】構造が簡単で、組立てしやすく、且つ連結隙間のない組立式収納コンテナを提供する。【解決手段】側面部材３と、底面部材４と、可動連結体２とを備える。側面部材と側面部材との間は可動連結体により連結されており、側面部材及び底面部材の四つの縁部には補強フレーム６が設けられており、側面部材の補強フレームの両端にはいずれも固定穴５が設けられており、可動連結体はＬ型構造をなしており、可動連結体内部には凹部が設けられており、可動連結体の内部の凹部には第１の位置決め突起と、第２の位置決め突起とが設けられており、側面部材を可動連結体に連結固定して、底面部材は側面部材が囲むように組み合わせて形成したコンテナ空間の下部内に装着するので、完全な収納コンテナを形成するものであって、使用する必要のない、又は運搬する必要のないときには、可動連結体を取り外して、単独の側面部材と底面部材となる。【選択図】図３
0003214234.tif 000002
【実用新案登録請求の範囲】
【請求項１】
囲むように組み合わせてコンテナ空間を形成する側面部材（３）と、底面部材（４）とを有するコンテナ本体（１）を備える組立式収納コンテナであって、
可動連結体（２）を更に備えており、側面部材（３）と側面部材（３）との間は可動連結体（２）により固定連結されており、前記側面部材（３）及び底面部材（４）の四つの縁部には補強フレーム（６）が設けられており、前記側面部材（３）の補強フレーム（６）の両端にはいずれも第１の固定穴（５）が設けられており、前記可動連結体（２）はＬ型構造をなしており、前記可動連結体（２）内部には側面部材（３）の補強フレーム（６）を収容するための凹部が設けられており、前記可動連結体（２）内部の凹部には側面部材（３）上の第１の固定穴（５）に対応する第１の位置決め突起（２１）と、第２の位置決め突起（２２）とが設けられており、前記側面部材（３）の補強フレーム（６）の両端は対応する可動連結体（２）の凹部内にそれぞれ挿入されており、前記可動連結体（２）の第１の位置決め突起（２１）、第２の位置決め突起（２２）は対応する補強フレーム（６）の第１の固定穴（５）内にそれぞれ嵌入することで、側面部材（３）と可動連結体（２）とを連結し、前記底面部材（４）は側面部材（３）が囲むように組み合わせて形成したコンテナ空間の下部内に装着する、ことを特徴とする組立式収納コンテナ。
【請求項２】
前記可動連結体（２）の底部には底面部材（４）を支えるための支持板（８）が更に設けられており、前記支持板（８）は可動連結体（２）と一体成型されており、前記底面部材（４）の四隅は対応する支持板（８）上に組付けられるので、底面部材（４）は側面部材（３）が囲むように組み合わせて形成したコンテナ空間の下部内に装着する、ことを特徴とする請求項１に記載の組立式収納コンテナ。
【請求項３】
前記可動連結体（２）の支持板（８）上には第３の位置決め突起（２３）が設けられており、前記底面部材（４）の補強フレーム（６）が囲むように組合わさる枠体の四隅にはいずれも第２の固定穴（７）が設けられており）、前記支持板（８）上の第３の位置決め突起（２３）は底面部材（４）の対応する第２の固定穴（７）内に嵌入されることで、底面部材（４）と可動連結体（２）とを分解可能に連結する、ことを特徴とする請求項２に記載の組立式収納コンテナ。
【請求項４】
前記コンテナ本体（１）が金属網状本体として設けられる、ことを特徴とする請求項１に記載の組立式収納コンテナ。
【請求項５】
前記可動連結体（２）が合成樹脂製の可動連結体として設けられる、ことを特徴とする請求項１に記載の組立式収納コンテナ。
【請求項６】
前記補強フレーム（６）が金属補強フレームとして設けられる、ことを特徴とする請求項１に記載の組立式収納コンテナ。
【考案の詳細な説明】
【技術分野】
【０００１】
本考案は家具用品分野に関し、より具体的には、組立式収納コンテナに関する。
【背景技術】
【０００２】
収納コンテナは家庭の日常生活広く用いられるか、又はオフィスでの書類収納整理において、かなり便利な家具製品である。
【０００３】
従来の収納コンテナの多くは以下のいくつかの不具合がある：
（１）従来の収納コンテナは一般的に固定した構造であって、分解することはできず、運搬又は使用しないときに一定の空間を占めてしまい、運搬コストが増加する上、運搬時に変形又は損傷してしまいやすい。
【０００４】
（２）また別に市販品の中には分解可能な収納コンテナはあるものの、分解可能な収納コンテナの多くは、各々の側面部材の間の連結に一定の隙間があって、小型の物品の収納・整理に不便をきたし、収納コンテナの使用価値が大幅に低減してしまう。
【考案の概要】
【考案が解決しようとする課題】
【０００５】
本考案の目的は、従来技術における上記欠陥を克服し、構造が簡単で、組立てしやすく、且つ連結隙間のない組立式収納コンテナを実現するところにある。
【０００６】
上記目的を実現するために、本考案では、囲むように組み合わせてコンテナ空間を形成する側面部材と、底面部材とを有するコンテナ本体を備える組立式収納コンテナを提供するものであって、可動連結体を更に備えており、側面部材と側面部材との間は可動連結体により固定連結されており、前記側面部材及び底面部材の四つの縁部には補強フレームが設けられており、前記側面部材の補強フレームの両端にはいずれも第１の固定穴が設けられており、前記可動連結体はＬ型構造をなしており、前記可動連結体内部には側面部材の補強フレームを収容するための凹部が設けられており、前記可動連結体内部の凹部には側面部材上の第１の固定穴に対応する第１の位置決め突起と、第２の位置決め突起とが設けられており、前記側面部材の補強フレームの両端は対応する可動連結体の凹部内にそれぞれ挿入されており、前記可動連結体の第１の位置決め突起、第２の位置決め突起は対応する補強フレームの第１の固定穴内にそれぞれ嵌入することで、側面部材と可動連結体とを連結固定し、前記底面部材は側面部材が囲むように組み合わせて形成したコンテナ空間の下部内に装着する。
【０００７】
好ましくは、前記可動連結体の底部には底面部材を支えるための支持板が更に設けられており、前記支持板は可動連結体と一体成型されており、前記底面部材の四隅は対応する支持板上に組付けられるので、底面部材は側面部材が囲むように組み合わせて形成したコンテナ空間の下部内に装着する。
【０００８】
好ましくは、前記可動連結体の支持板上には第３の位置決め突起が設けられており、前記底面部材の補強フレームが囲んで形成する枠体の四隅にはいずれも第２の固定穴が設けられており、前記支持板上の第３の位置決め突起は底面部材の対応する第２の固定穴内にそれぞれ嵌入されることで、底面部材と可動連結体とを分解可能に連結する。
【０００９】
好ましくは、前記コンテナ本体が金属網状本体として設けられる。
【００１０】
好ましくは、前記可動連結体が合成樹脂製の可動連結体として設けられる。
【００１１】
好ましくは、前記補強フレームが金属補強フレームとして設けられる
【考案の効果】
【００１２】
従来技術に比べて、本考案の有益な効果は以下の通りである：
本考案は構造が簡単であり、側面部材と、底面部材と、可動連結体とを備えており、側面部材と側面部材との間は可動連結体により固定連結されており、底面部材はコンテナ空間の下部内に装着することで、完全な収納コンテナ構造を形成するものであって、使用する必要のない、又は運搬する必要のないときには、可動連結体を取り外して、コンテナ本体は単独の側面部材と底面部材として分解して、側面部材及び底面部材を折り畳むことができるものであり、本考案は構造が簡単で、組立しやすく、収納コンテナの占有空間を減らして、運搬コストを削減するとともに、側面部材と側面部材との間での正確な隙間無し連結を実現している。
【図面の簡単な説明】
【００１３】
【図１】本考案の組立式収納コンテナの組立構造概略図である。
【図２】本考案の組立式収納コンテナの分解構造概略図である。
【図３】本考案の組立式収納コンテナの底面部材を可動連結体の支持板上に組付けた分解構造概略図である。
【図４】本考案の組立式収納コンテナにおける支持板無し可動連結体の立体構造概略図である。
【図５】本考案の組立式収納コンテナにおける支持板無し可動連結体の平面図である。
【図６】本考案の組立式収納コンテナにおける支持板有り可動連結体の立体構造概略図である。
【図７】本考案の組立式収納コンテナにおける支持板有り可動連結体の平面図である。
【考案を実施するための形態】
【００１４】
本考案の実施例又は従来技術における技術手法をより明確に説明するために、以下では実施例又は従来技術にて使用する必要のある図面に対して簡単な説明を行うが、明らかなことは、以下の記述中の図面は本考案の一部実施例であって、当業者にとっては、創造的な作業を行わないという前提において、これら図面に基づいてその他図面を得ることができるということである。
【００１５】
本考案の実施例の目的、技術手法及び長所を更に明確にするために、以下にて本考案の実施例における図面を合わせて、本考案の実施例における技術手法をより明確に、完全に記述するが、明らかなことは、記述する実施例は本考案の実施例の一部であって、全ての実施例ではないというものである。
【００１６】
本考案における実施例によれば、当業者が創造的な作業を行わないという前提にて得られる全てのその他実施例は、いずれも本考案の保護する範囲に属する。
【００１７】
図１を参照されたい。本考案の実施例では組立式収納コンテナを提供しており、コンテナ本体１と可動連結体２とを備えており、コンテナ本体１は側面部材３と底面部材４とを有しており、側面部材３が囲むように組み合わせて収容空間を形成しており、側面部材３と側面部材３との間は可動連結体２により固定連結されるものであって、以下にて図面を合わせて本考案につき詳細な説明を行う。
【００１８】
実施例１
図２に示すように、コンテナ本体１は単独の側面部材３と底面部材４とに分解することができ、側面部材３及び底面部材４の四つの縁部には補強フレーム６が設けられており、側面部材３の補強フレーム６の両端にはいずれも第１の固定穴５が設けられている。
【００１９】
好ましくは、側面部材３及び底面部材４の四つの縁部に装着されている補強フレーム６は金属補強フレームとして設けることで、全体構造をより堅固にすることができる。
【００２０】
図６及び図７に示すように、可動連結体２はＬ型構造をなしており、可動連結体２内部には側面部材３の補強フレーム６を収容するための凹部が設けられており、可動連結体２内部の凹部には側面部材３上の第１の固定穴５に対応する第１の位置決め突起２１及び第２の位置決め突起２２が設けられている。
【００２１】
可動連結体２は側面部材３の上方及び下方にそれぞれ設けられており、側面部材３の補強フレーム６の両端は対応する可動連結体２の凹部内にそれぞれ挿入されており、可動連結体２の第１の位置決め突起２１、第２の位置決め突起２２は対応する第１の固定穴５内にそれぞれ嵌入することで、側面部材３と可動連結体２とを連結し、側面部材３と側面部材３との間の隙間無し連結を実現し、底面部材４は側面部材３が囲むように組み合わせて形成したコンテナ空間の下部内に装着することで、完成した収納コンテナを形成する。
【００２２】
実施例２
本実施例は、実施例１を基礎として更なる改善したものであるが、同一点は説明せず、以下のように相違点を説明する：図４及び図５に示すように、可動連結体２の底部には底面部材４を支えるための支持板８が更に設けられており、支持板８は可動連結体２と一体成型されており、底面部材４の四隅は対応する支持板８上に組付けられるので、底面部材４は側面部材３が囲むように組み合わせて形成したコンテナ空間の下部内に装着して、これによってより高い安定性を有する収納コンテナ構造を形成して、使用時に底面部材４が外れるのを回避する。
【００２３】
また、図３、図４及び図５に示すように、可動連結体２の支持板８上には第３の位置決め突起２３が更に設けられており、底面部材４の補強フレーム６が囲むように組合わさる枠体の四隅にはいずれも第２の固定穴７が設けられており、支持板８上の第３の位置決め突起２３は底面部材４の対応する第２の固定穴７内にそれぞれ嵌入されることで、底面部材４と可動連結体２とを分解可能に連結して、使用時に底面部材に左右の緩みが発生するのを回避する。
【００２４】
使用する必要のない、又は運搬する必要のないときには、可動連結体２を取り外すことができ、コンテナ本体１は単独の側面部材３と底面部材４として分解して、各々の側面部材３及び底面部材４を折り畳むことができ、運搬又は保管時に占める空間を減らして、空間を大幅に節約し、運搬コストを節約している。
【００２５】
また、コンテナ本体１は金属網状本体として設けることができ、収納コンテナ全体は簡便で堅牢で耐用性を持ち、当然のこと、コンテナ本体１はパネルコンテナ本体又は肉抜き板のコンテナ本体としても設けることができ、実際の状況に応じて選択することができるものであって、本実施例により限定されるものではない。
【００２６】
好ましくは、可動連結体２は合成樹脂製の可動連結体として設けてもよく、金属製の可動連結体として設けてもよく、実際の状況に応じて選択することができる。
【００２７】
上記実施例は本考案の好ましい実施形態であるが、本考案の実施形態は上記実施例に制限されることなく、本考案の実質的な技術思想及び原理から離れず行ったその他いずれかの変更、付加、置換、組み合わせ、簡素化は、いずれも等価の置換方式であって、いずれも本考案の保護範囲内に含まれるものである。
【符号の説明】
【００２８】
１              コンテナ本体
２            可動連結体
３            側面部材
４            底面部材
５            第１の固定穴
６            補強フレーム
７            第２の固定穴
８            支持板
２１            第１の位置決め突起
２２            第２の位置決め突起
【図１】
0003214234.tif 000003
【図２】
0003214234.tif 000004
【図３】
0003214234.tif 000005
【図４】
0003214234.tif 000006
【図５】
0003214234.tif 000007
【図６】
0003214234.tif 000008
【図７】
0003214234.tif 000009